(57)【要約】      （修正有）【課題】端末機器の充電差込口における充電端子の接合がぐらつくのを防止するための充電端子保護ホルダーを提供する。【解決手段】充電端子保護ホルダー１００は、端末機器の側面に設けられた充電端子差込口の外方に配置され、充電端子差込口に充電用ケーブルのコネクタを差し込む前に貫通させる筒状の固定ケース２００と、固定ケース２００から端末機器の側面に沿って横方向に延設されたアーム３００と、アーム３００に中間部が係止され、先端のうち一端が端末機器の上面に、他端が端末機器の下面に延びるように湾曲した弾性のあるクリップ４００と、を有する。固定ケース２００は、クリップ４００で端末機器を挟持したときに充電端子差込口の位置に合うように固定され、コネクタを充電端子差込口に差し込むときに差込角度が一定となるようにガイドする。【選択図】図１
2018064260.tif 000002
【特許請求の範囲】
【請求項１】
端末機器の側面に設けられた充電端子差込口の外方に配置され、前記充電端子差込口に充電用ケーブルのコネクタを差し込む前に貫通させる筒状の固定ケースと、
前記固定ケースから前記端末機器の側面に沿って横方向に延設されたアームと、
前記アームに中間部が係止され、先端のうち一端が前記端末機器の上面に、他端が前記端末機器の下面に延びるように湾曲した弾性のあるクリップと、を有し、
前記固定ケースは、前記クリップで前記端末機器を挟持したときに前記充電端子差込口の位置に合うように固定され、前記コネクタを前記充電端子差込口に差し込むときに差込角度が一定となるようにガイドする、
ことを特徴とする充電端子保護ホルダー。
【請求項２】
前記クリップは、前記端末機器の上面及び下面の表示並びにそれに対する操作を妨げないように両端が延ばされ、先端に前記端末機器を挟持したときに押さえ付けるための球面部を有する、
ことを特徴とする請求項１に記載の充電端子保護ホルダー。
【請求項３】
前記アームは、延設先に前記端末装置の側面に縦方向に当てられ、前記クリップの中間部を前記端末装置の上面から下面に渡すように掛けるための係止部を有する、
ことを特徴とする請求項１又は２に記載の充電端子保護ホルダー。
【請求項４】
前記充電端子差込口に差し込まれた前記充電用ケーブルのコネクタの差込角度が変わらないように、前記端末機器を掴む保持具を有する、
ことを特徴とする請求項１乃至３の何れか一に記載の充電端子保護ホルダー。
【請求項５】
前記充電用ケーブルの付け根における折り曲げが緩和されるように当該充電用ケーブルを支持する補強材を有する、
ことを特徴とする請求項１乃至４の何れか一に記載の充電端子保護ホルダー。
【発明の詳細な説明】
【技術分野】
【０００１】
本発明は、端末機器の充電差込口における充電端子の接合がぐらつくのを防止するための充電端子保護ホルダーに関する。
【背景技術】
【０００２】
テレビゲーム機のコントローラは、本体にケーブルで繋がれているとケーブルが操作の邪魔となるので、無線の操作用端末機器が用いられるようになってきている。それに伴い、端末機器を充電機器に接続して充電する必要が生じる。例えば、端末機器を充電台に設置したり、端末機器の充電用差込口に充電用コネクタを接続したりする。また、携帯電話機に代わってスマートフォン（スマホ）やタブレットＰＣ（パーソナルコンピュータ）などの端末機器が利用されるようになり、端末機器の充電差込口に充電用ケーブル等を接続して充電を行うケースも増えている。特許文献１に記載されているように、充電端子が疲労して接触不良を起こすのを防止する充電端子変形防止構造の発明も開示されている。
【先行技術文献】
【特許文献】
【０００３】
【特許文献１】特許第３７１３１６９号公報
【発明の概要】
【発明が解決しようとする課題】
【０００４】
しかしながら、特許文献１に記載の発明は、携帯電話機にバッテリを装着する場合の充電端子変形防止構造であり、携帯型の端末機器のように充電機器の着脱が頻繁に行われる訳ではない。端末機器に充電用ケーブルを繋ぐ場合、コネクタが端末機器から突出していることも多く、端末機器に充電機器を接続したまま操作していると、充電端子の接合がぐらついたり、コネクタの破損やケーブルの断線が生じたりするおそれもある。
【０００５】
そこで、本発明は、端末機器の充電差込口における充電端子の接合がぐらつくのを防止するための充電端子保護ホルダーを提供することを目的とする。
【課題を解決するための手段】
【０００６】
上記の課題を解決するために、本発明である充電端子保護ホルダーは、端末機器の側面に設けられた充電端子差込口の外方に配置され、前記充電端子差込口に充電用ケーブルのコネクタを差し込む前に貫通させる筒状の固定ケースと、前記固定ケースから前記端末機器の側面に沿って横方向に延設されたアームと、前記アームに中間部が係止され、先端のうち一端が前記端末機器の上面に、他端が前記端末機器の下面に延びるように湾曲した弾性のあるクリップと、を有し、前記固定ケースは、前記クリップで前記端末機器を挟持したときに前記充電端子差込口の位置に合うように固定され、前記コネクタを前記充電端子差込口に差し込むときに差込角度が一定となるようにガイドする、ことを特徴とする。
【０００７】
また、前記クリップは、前記端末機器の上面及び下面の表示並びにそれに対する操作を妨げないように両端が延ばされ、先端に前記端末機器を挟持したときに押さえ付けるための球面部を有する、ことを特徴とする。
【０００８】
また、前記アームは、延設先に前記端末装置の側面に縦方向に当てられ、前記クリップの中間部を前記端末装置の上面から下面に渡すように掛けるための係止部を有する、ことを特徴とする。
【０００９】
また、前記充電端子保護ホルダーは、前記充電端子差込口に差し込まれた前記充電用ケーブルのコネクタの差込角度が変わらないように、前記端末機器を掴む保持具を有する、ことを特徴とする。
【００１０】
また、前記充電端子保護ホルダーは、前記充電用ケーブルの付け根における折り曲げが緩和されるように当該充電用ケーブルを支持する補強材を有する、ことを特徴とする。
【発明の効果】
【００１１】
本発明によれば、端末機器の充電差込口における充電端子の接合がぐらつくのを防止することができる。また、充電端子のコネクタが破損したり、ケーブルが断線したりすることを防止することができる。それにより、端末機器の故障等により頻繁に交換することもなくなり、断線等により短絡して火災になることも防ぐことができる。
【図面の簡単な説明】
【００１２】
【図１】本発明である充電端子保護ホルダーを示す斜視図である。
【図２】本発明である充電端子保護ホルダーを示す正面図及び背面図である。
【図３】本発明である充電端子保護ホルダーを示す平面図及び底面図である。
【図４】本発明である充電端子保護ホルダーを示す左側面図である。
【図５】本発明である充電端子保護ホルダーの各パーツの組み立てを示す図である。
【図６】本発明である充電端子保護ホルダーのコントローラへの装着を示す図である。
【図７】本発明である充電端子保護ホルダーの装着について説明する図である。
【図８】本発明である充電端子保護ホルダーのタブレットＰＣへの装着を示す図である。
【図９】本発明である充電端子保護ホルダーのスマートフォンへの装着を示す図である。
【図１０】本発明である充電端子保護ホルダーに付属させる充電用ケーブル用の補強材を示す斜視図である。
【図１１】本発明である充電端子保護ホルダーの補強材の装着を示す図である。
【図１２】本発明である充電端子保護ホルダーの補強材について説明する図である。
【発明を実施するための形態】
【００１３】
テレビゲーム機のコントローラなどの操作用端末機器や、小型ゲーム機をはじめとする携帯電話、スマートフォン及びタブレットＰＣなどの小型家電端末機器にとって、有線ケーブルによる外部電力からの充電は不可欠なものとなっている。近年の機器の小型軽量化によって、充電用ケーブルもＵＳＢ（ユニバーサル・シリアル・バス）接続を主とする小型化が進むことによって、充電端子の接続強度が外部からの力や衝撃に弱くなっている。
【００１４】
小型化によって充電端子のコネクタ形状も目視認識しにくくなっている。そのため、コネクタ形状が分かりやすい構造設計にするなど技術的な工夫もされているが、小さな端子同士の接合だけで、必要最小限の接続強度を維持している機器も見受けられる。
【００１５】
必要最小限の構造であっても静止状態で充電するには問題ないが、端末機器、特にテレビゲーム機のコントローラにおいては、使用者の運用に任されており、充電しながらコントローラを激しく動かく状況もある。充電端子がぐらつくなど接続が不安定であると充電が不十分となったり、激しい操作に耐え切れず充電端子が劣化又は破損したりすることもある。端末機器が故障しやすく、頻繁に交換が必要になるだけでなく、ケーブル内で断線したものがショート発火し、火災などが起こる可能性もある。
【００１６】
スマートフォンやタブレットＰＣにおいても、充電時に外部からの衝撃や落下などにより充電端子のコネクタが折れたり、ケーブルが付け根から切れたりすることもある。このように、強度的に不十分な状態で使用されることも多い。
【００１７】
充電端子を深い位置で接合させれば強度を上げることは可能であるが、充電端子のコネクタ形状が分かりにくくなると、接合する向きを誤ったり、別の端子に無理やり接合させたりして、破損することもある。このように、静止状態での充電を前提として設計され、充電しながら操作することを想定した充分な強度と精度を備えていない構造の端末機器が多いのが実情である。
【００１８】
充電端子の接合を固定するために補助具などを装着することが考えられるが、テレビゲーム機のコントローラの場合、操作性やデザイン性により曲面や流線形が多く、固定面が定まらないという問題がある。それに加え、補助具によって操作ボタンが押しづらくなったり誤操作したりするなどコントローラの操作に支障の出ないように配慮する必要もある。
【００１９】
本発明は、それらの問題点を解決するものであり、テレビゲーム機のコントローラに関しては、充電端子がぐらつくのを防ぐために装着する補助具であって、コントローラの操作性に影響を与えずに固定するものである。また、スマートフォンに関しては、充電端子のケーブルの付け根に負荷が掛かって切れないように装着する補助具であって、本体を覆うカバー等により変わる厚みに依らず固定するものである。さらに、タブレットＰＣに関しては、充電端子のコネクタに負荷が掛かって折れないように装着する補助具であって、同様に本体を覆うカバー等により変わる厚みに依らず固定するものである。
【００２０】
以下に、本発明の実施形態について図面を参照して詳細に説明する。なお、同一機能を有するものは同一符号を付け、その繰り返しの説明は省略する場合がある。
【実施例１】
【００２１】
まず、本発明である充電端子保護ホルダーの構造について説明する。図１は、充電端子保護ホルダーの（ａ）斜め前から見た斜視図及び（ｂ）斜め後から見た斜視図である。図２は、充電端子保護ホルダーの（ａ）正面図及び（ｂ）背面図である。図３は、充電端子保護ホルダーの（ａ）平面図及び（ｂ）底面図である。図４は、充電端子保護ホルダーの左側面図（右側面図も同様）である。
【００２２】
充電端子保護ホルダー１００は、樹脂等を成形したもので、充電式コントローラ、タブレットＰＣ又はスマートフォン等の端末機器に装着される。なお、端末機器は充電式であり、端末機器の側面に充電端子差込口が設けられているとする。端末機器は、充電端子差込口に充電用ケーブルを接続して充電が行われる。充電端子保護ホルダー１００は、充電端子差込口と充電用ケーブルのコネクタとを電気的に接続する充電端子を保護するために使用される。
【００２３】
図１〜４に示すように、充電端子保護ホルダー１００は、端末機器の側面に設けられた充電端子差込口の外方に配置され、充電端子差込口に充電用ケーブルのコネクタを差し込む前に貫通させる筒状の固定ケース２００と、固定ケース２００から端末機器の側面に沿って横方向に延設されたアーム３００と、アーム３００に中間部（湾曲部４１０）が係止され、先端のうち一端（上片４２０）が端末機器の上面に、他端（下片４３０）が端末機器の下面に延びるように湾曲した弾性のあるクリップ４００と、を有する。
【００２４】
固定ケース２００は、矩形等の内部が中空の管材であり、充電用ケーブルのコネクタを通す貫通孔２１０を有する。貫通孔２１０は、コネクタの外形に合わせて最大径の部分が通過できるように空けられれば良い。また、貫通孔２１０の向きは、コネクタを充電端子差込口に差し込む方向と一直線上になれば良い。
【００２５】
固定ケース２００は、クリップ４００で端末機器を挟持したときに充電端子差込口の位置に合うように固定され、コネクタを充電端子差込口に差し込むときに差込角度が一定となるようにガイドする。
【００２６】
アーム３００は、固定ケース２００の側面から外へ向かって横方向に延びる板材である。固定ケース２００が端末機器の側面に対し垂直に配置されている場合、アーム３００は端末機器の側面に沿って延びることになる。
【００２７】
アーム３００は、延設先に端末装置の側面に縦方向に当てられ、クリップ４００の湾曲部４１０を端末装置の上面から下面に渡すように掛けるための係止部３２０を有する。係止部３２０は、使用時にクリップ４００が外れないように、左右両端よりも中央を窪ませた受け溝３３０を有する。係止部３２０は交換可能に着脱させても良い。係止部３２０を連結するため、さらに連結を補強するために連結材３１０を介しても良い。
【００２８】
クリップ４００は、「つ」の字状に湾曲した帯材であり、中間の湾曲部４１０と、湾曲部４１０の上側から延びる上片４２０と、湾曲部４１０の下側から延びる下片４３０とを有する。上片４２０と下片４３０とは先端に向かうにしたがって近接しており（図４に示す間隔Ｈを参照）、上片４２０と下片４３０を上下に開いて端末機器に嵌め込む。湾曲部４１０の弾性によって上片４２０と下片４３０とが元の位置に戻る力を利用して挟持させる。
【００２９】
クリップ４００は、端末機器の上面及び下面の表示並びにそれに対する操作を妨げないように切欠部４５０を設けても良い。また、上片４２０又は下片４３０を細くしたり、湾曲等させたりして、端末機器の画面やボタン等の位置を回避するようにしても良い。端末機器の表示が見やすくなり、誤操作もなくなる。
【００３０】
また、クリップ４００は、先端に端末機器を挟持したときに押さえ付けるための球面部４４０を有する。球面部４４０は、上片４２０又は下片４３０の一方だけでも両方にしても良い。先端を球状に突出させることで、クリップ４００の弾性を確保したり、上片４２０又は下片４３０と端末機器との間に隙間を設けて端末機器の表示を確保したりしても良い。
【００３１】
図５は、充電端子保護ホルダーの各パーツの組み立てを示す図であり、（ａ）は固定ケースとアーム、（ｂ）はアームとクリップの組み立てを示す。図６は、充電端子保護ホルダーのコントローラへの装着を示す図であり、（ａ）は斜め前から見た斜視図、（ｂ）は斜め後から見た斜視図である。図７は、充電端子保護ホルダーの装着について説明する図である。なお、端末機器としてコントローラ５００を例に説明する。
【００３２】
図５（ａ）に示すように、固定ケース２００とアーム３００及び連結材３１０とが一体的に成形されている場合に、連結材３１０に対して係止部３２０を嵌合させる等して取り付ける。端末機器の種類が複数ある場合に、端末機器の形状ごとに係止部３２０を用意しておき、使用する端末機器に合わせて係止部３２０を交換すれば良い。また、係止部３２０を破損した場合に、係止部３２０のみを交換すれば良い。
【００３３】
図５（ｂ）に示すように、係止部３２０が取り付けられたアーム３００に対して、クリップの上片４２０と下片４３０の間に係止部３２０を通して、受け溝３３０でクリップ４００の湾曲部４１０を受け止めるようにして取り付ける。
【００３４】
図６（ａ）（ｂ）に示すように、充電端子保護ホルダー１００をコントローラ５００に装着する。両側のクリップ４００でコントローラ５００を挟持したときに、固定ケース２００がコントローラ５００の側面にある充電端子差込口の位置に合うように固定される。充電用ケーブルのコネクタを固定ケース２００に通せば、充電端子が差込口に差し込まれ、充電端子の差込角度も一定となる。
【００３５】
また、充電端子に上下等の向きがある場合に、貫通孔２１０の形状を変えることで充電端子の向きを一定にさせることも可能である。固定ケース２００とコネクタとの間に若干の摩擦が生じるようにしておけば、充電端子が差込口から外れにくくなり、充電端子のぐらつきもなくなる。
【００３６】
アーム３００の係止部３２０はコントローラ５００の側面に当接しており、クリップ４００の弾力によりコントローラ５００の上下から挟み込み、その先端の摩擦力によって充電端子保護ホルダー１００が外れないように固定される。クリップ４００は、コントローラ５００の操作部５１０、表示部５２０（図８、９参照）、把持部５３０等に干渉しない位置で、かつ充電端子保護ホルダー１００にフィットする位置に配される。
【００３７】
コントローラ５００の下面など複雑な凹凸がないような場合は、クリップ４００の下片については、きしめんのような帯状にして装着面に沿って這わせるように押さえても良い。また、下片を装着面に密着するように変形させても良い。
【００３８】
図７（ａ）に示すように、角度Ａは、充電用ケーブル６２０を差し込む方向に対する係止部３２０の当接面３４０の傾きである。なお、当接面３４０は、コントローラ５００の側面に当てられる部分である。また、図７（ｂ）に示すように、角度ａは、充電用ケーブル６２０を差し込む方向に対するコントローラ５００の側面の傾きである。幅ｈは、コントローラ５００の厚み（高さ）である。
【００３９】
充電用ケーブル６２０は、充電端子６００をコントローラ５００の充電端子差込口５４０に差し込むのに邪魔とならないコネクタ６１０の形状を有する。充電端子保護ホルダー１００を装着するにあたり、固定ケース２００、アーム３００及び係止部３２０が充電端子６００の接続の邪魔とならず、適切な接続を確保する必要がある。
【００４０】
固定ケース２００の場合、貫通孔２１０が充電用ケーブル６２０を差し込む方向と同じ方向に延びるし、必ずしもコントローラ５００の側面に接触しなくても良い。固定ケース２００に延設されるアーム３００も、必ずしもコントローラ５００の側面に接触しなくても良い。
【００４１】
アーム３００に連設される係止部３２０は、当接面３４０でコントローラ５００の側面に接触するので、コントローラ５００の側面の形状に合わせて傾けたり、凹凸があればそれに合わせて切削等の加工を施したりすれば良い。すなわち、係止部３２０の当接面３４０の角度Ａを、コントローラ５００の側面の角度ａに合わせれば良い。また、係止部３２０の当接面３４０を、コントローラ５００の幅ｈに渡って形状を合わせれば良い。
【００４２】
クリップ４００について、図４に示す間隔Ｈは、幅ｈよりも狭くし、弾力により幅ｈよりも開くことで、コントローラ５００に装着し、復元力により上下から押さえ付けることで、固定ケース２００の位置の固定を可能にする。
【実施例２】
【００４３】
図８は、充電端子保護ホルダーのタブレットＰＣへの装着を示す図である。充電端子保護ホルダー１００ａは、実施例１と同様に、固定ケース２００ａ、アーム３００ａ（係止部３２０ａを含む）、及びクリップ４００ａ等を有する。なお、端末機器としてタブレットＰＣ５００ａを例に説明する。
【００４４】
タブレットＰＣ５００ａは重量があるため、充電用ケーブル６２０を着脱させるときに、コネクタを摘まんで持ち上げたりすると、充電端子差込口に嵌合されている充電端子に負荷が掛かって、充電端子の根元で折れて充電端子差込口内に残ったままになったり、充電端子差込口の形状を変形させて、充電端子が挿入できなくなったりする場合がある。そのため、充電用ケーブルのコネクタの差込角度が変わらないようにする必要がある。
【００４５】
充電端子保護ホルダー１００ａでは、固定ケース２００ａが固定されている角度を保持するために、アーム３００ａに保持具３５０ａを設けても良い。保持具３５０ａは、係止部３２０ａと同様にタブレットＰＣ５００ａの側面に当接し、爪状のものでタブレットＰＣ５００ａを掴ませる。
【００４６】
図９は、充電端子保護ホルダーのスマートフォンへの装着を示す図である。充電端子保護ホルダー１００ｂも同様に、固定ケース２００ｂ、アーム３００ｂ（係止部３２０ｂ及び保持具３５０を含む）、及びクリップ４００ｂ等を有する。なお、端末機器としてスマートフォン５００ｂを例に説明する。
【００４７】
スマートフォン５００ｂは比較的小型で軽量であるため、アーム３００ｂの延設を一方のみにしたり、係止部３２０ｂを連設する側を一方のみにしたりしても良い。クリップ４００ｂによる固定が一方で十分であれば、スマートフォン５００ｂの表示部５２０（操作部を含む）等の邪魔となる装着物を減らしても良い。
【００４８】
クリップ４００ｂについては、スマートフォン５００ｂを挟持する力を持たせるために、指で摘まむと両端が開き、指を離すと両端が閉まるようなものとしても良い。スマートフォン５００ｂの機種に依らず対応するために、段階的に挟持するものでも良い。なお、挟持力は、ゴムやバネなどを利用しても良い。また、クリップ４００ｂの一端から端末機器の反対側を跨ぐようにベルト状のものを延ばしてクリップ４００ｂの他端で留めることにより、充電端子保護ホルダー１００ｂが外れないように補強しても良い。
【００４９】
また、クリップ４００ｂ等について、表示部５２０等の邪魔とならない範囲でデザイン性を持たせても良い。例えば、クリップ４００ｂを開閉させる際の摘まみをウサギの耳の形状にする等である。
【実施例３】
【００５０】
図１０は、充電端子保護ホルダーに付属させる充電用ケーブル用の補強材を示す斜視図である。図１１は、充電端子保護ホルダーの補強材の装着を示す図であり、（ａ）は充電用ケーブルへの装着、（ｂ）は充電端子保護ホルダーへの接続を示す。図１２は、充電端子保護ホルダーの補強材について説明する図であり、（ａ）は充電端子保護ホルダーへ接続した状態、（ｂ）はその内部の状態を示す。
【００５１】
端末機器と充電用ケーブルのコネクタの接続を保護しても、使用状況によっては、充電用ケーブルとコネクタの付け根６３０（図７参照）には負荷が掛かりやすいので、充電用ケーブルの被覆が切れて内部の電線が剥き出しになったり、電線自体が切断されたりする。また、充電用ケーブルのうち頻繁に湾曲する箇所や、折り畳んだような状態が長い時間続いた場合も同様である。そのため、充電用ケーブルの付け根６３０等における折り曲げを緩和する必要がある。
【００５２】
図１０に示すように、充電端子保護ホルダー１００ｃは、実施例１、２と同様であるが、補強材７００を付属させる。補強材７００は、充電用ケーブルよりも一回り大きい径の管材であり、充電用ケーブルに装着するために長手方向に通し溝７１０を空けるが、充電用ケーブルから外れないように、間欠的に押さえ７２０も設ける。補強材７００は、柔らかい樹脂を成形し、同じ箇所に空きのある複数のリングが間欠的に連結したような形状にすれば良い。
【００５３】
図１１（ａ）に示すように、補強材７００を充電用ケーブル６２０に嵌め込み、図１１（ｂ）に示すように、その状態で充電用ケーブル６２０のコネクタ６１０を、充電端子保護ホルダー１００ｃの固定ケース２００に通せば良い。補強材７００がある部分において充電用ケーブル６２０の曲げ等が制限される。
【００５４】
図１２（ａ）に示すように、補強材７００の一部が固定ケース２００内に入るようにすれば、補強材７００が固定ケース２００と充電用ケーブル６２０とにより挟まれるので、充電用ケーブル６２０の曲げ等がより制限される。
【００５５】
図１２（ｂ）に示すように、固定ケース２００の先端Ｐから距離ｄだけ内部に入った位置に付け根６３０があるが、先端Ｐにおいて充電用ケーブル６２０が保持されるので、付け根６３０に余計な負荷が掛かることもない。なお、補強材７００は、固定ケース２００に連設される形で付属させても良い。
【００５６】
本発明によれば、端末機器の充電差込口における充電端子の接合がぐらつくのを防止することができる。また、充電端子のコネクタが破損したり、ケーブルが断線したりすることを防止することができる。それにより、端末機器の故障等により頻繁に交換することもなくなり、断線等により短絡して火災になることも防ぐことができる。
【００５７】
以上、本発明の実施例を述べたが、これらに限定されるものではない。例えば、本発明では各パーツを組み立てて端末機器に装着することで、端末機器の機種が異なっても対応させることが可能であるが、端末機器の形状に合わせて全部又は一部を一体成形しても良い。また、本発明では、アームと係止部とが着脱可能であるが、固定ケースとアーム及び係止部とが着脱可能のようにしても良い。
【００５８】
本発明は、ドローンやマルチコプター等の遠隔操縦可能な小型の無人航空機、又はラジオコントロールのヘリコプターや車両等の無線により遠隔操作可能な飛行体又は移動体、その他作業用ロボットなどのプロポ（プロポーショナル方式の送信機）にも適用可能である。充電端子もＵＳＢ接続だけでなくその他の接続形式のものにも適用可能である。買物弱者対策、災害時のレスキュー、危険箇所での作業に利用する場合など、様々な端末機器に応用が期待される。
【符号の説明】
【００５９】
１００、１００ａ、１００ｂ、１００ｃ：充電端子保護ホルダー
２００、２００ａ、２００ｂ：固定ケース
２１０：貫通孔
３００、３００ａ、３００ｂ：アーム
３１０：連結材
３２０、３２０ａ、３２０ｂ：係止部
３３０：受け溝
３４０：当接面
３５０ａ、３５０ｂ：保持具
４００、４００ａ、４００ｂ：クリップ
４１０：湾曲部
４２０：上片
４３０：下片
４４０：球面部
４５０：切欠部
５００：コントローラ
５００ａ：タブレットＰＣ
５００ｂ：スマートフォン
５１０：操作部
５２０：表示部
５３０：把持部
５４０：差込口
６００：充電端子
６１０：コネクタ
６２０：ケーブル
６３０：付け根
７００：補強材
７１０：通し溝
７２０：押さえ
【図１】
2018064260.tif 000003
【図２】
2018064260.tif 000004
【図３】
2018064260.tif 000005
【図４】
2018064260.tif 000006
【図５】
2018064260.tif 000007
【図６】
2018064260.tif 000008
【図７】
2018064260.tif 000009
【図８】
2018064260.tif 000010
【図９】
2018064260.tif 000011
【図１０】
2018064260.tif 000012
【図１１】
2018064260.tif 000013
【図１２】
2018064260.tif 000014